(57)【要約】スノーボードバインディングが、スノーボードの使用時に互いに係合又はドッキングされて共に係止されることができる２つのアセンブリからなる。アセンブリの一方は、スノーボードのデッキに固定することができる。本発明の一実施の形態では、他方のアセンブリは例えばユーザーのブーツに固定することができる。他の実施の形態では、ドッキング及び係止を支持する他方のアセンブリの特徴をブーツに組み込むことができる。いずれか又は両方のアセンブリは永久磁石を備えることができ、これによりこれらのアセンブリに適切な形態でドッキングさせるのを促進するようにこれらを互いに対して引き付けることによってドッキングするのを助ける。いくつかの実施の形態では、ドッキングしたアセンブリを共に係止することは手を用いることなく達成することができる。本発明のスノーボードバインディングは、カイトボード及びウェイクボード等の他のボード用のバインディングにも適用可能である。
2013503699.tif 000002
【特許請求の範囲】
【請求項１】
バインディングベースを備えるスノーボードバインディングであって、該バインディングベースは、ユーザーが履いているブーツを受け入れるように構成され、該ブーツを該バインディングベースに固定するように位置付けられる１つ又は複数の調整可能なストラップを備え、
ユーザーが履いている該ブーツを該バインディングに固定しつつ、該バインディングをスノーボードに固定することができ、
ユーザーが履いている該ブーツを該バインディングに固定しつつ、該バインディングを該スノーボードから分離することができる、スノーボードバインディング。
【請求項２】
スノーボードバインディング装置であって、
バインディングベースであって、ユーザーが履いているブーツを受容するように構成され、該ブーツをバインディングに固定するように位置付けられる１つ又は複数の調整可能なストラップを備える、バインディングベースと、
スノーボードデッキに恒久的に固着され、該バインディングベースに係止されると共に該バインディングベースから解放されることができるボードベースと、
を備える、スノーボードバインディング装置。
【請求項３】
該バインディングベース及び該ボードベースは、共に係止される前に互いにドッキングされるように構成される、請求項２に記載のスノーボードバインディング装置。
【請求項４】
該バインディングベースは１つ又は複数の磁石を備え、
該ボードベースは１つ又は複数の磁石を備え、
該バインディングベースの該磁石及び該ボードベースの該磁石は、該バインディングベース及び該ボードベースを互いに対して引き付けてドッキングした形態にするように構成される、請求項３に記載のスノーボードバインディング装置。
【請求項５】
該ボードベース及び該バインディングベースがドッキングした形態にあるときに、該バインディングベースを該スノーボードデッキに対して垂直な軸周りに回転させることによって、該バインディングベース及び該ボードベースを機械的に係合させる、請求項４に記載のスノーボードバインディング装置。
【請求項６】
該バインディングベースを該軸周りにさらに回転させることによって、該回転の反転を防止するロック機構を係合させ、それによって該バインディングベース及び該ボードベースを使用のための係合及び整合位置に固定する、請求項５に記載のスノーボードバインディング装置。
【請求項７】
該ボードベースは１つ又は複数の棚部を備え、
該バインディングベースは１つ又は複数のリップを備え、
該棚部及び該リップは、該バインディングベースと該ボードベースとのドッキングを妨げないように互いに対して位置付けられ、該バインディングベースを該スノーボードデッキに対して垂直な軸周りに回転させることによって、該棚部を該リップに重ねて該ボードベースから該バインディングベースが分離することを防止する形態になるように位置付けられる、請求項５に記載のスノーボードバインディング装置。
【請求項８】
該バインディングベースを該軸周りにさらに回転させることによって、該回転の反転を防止するロック機構を係合させ、それによって該バインディングベース及び該ボードベースを使用のための係合及び整合位置に固定する、請求項７に記載のスノーボードバインディング装置。
【請求項９】
該バインディングベースと該ボードベースとが互いに係止される前に互いにドッキングされるように構成される、請求項１に記載のスノーボードバインディング装置。
【請求項１０】
該バインディングベースは１つ又は複数の磁石を備え、
該ボードベースは１つ又は複数の磁石を備え、
該バインディングベースの該磁石及び該ボードベースの該磁石は、該バインディングベース及び該ボードベースを互いに対して引き付けてドッキングした形態にするように構成される、請求項９に記載のスノーボードバインディング装置。
【請求項１１】
該ボードベース及び該バインディングベースがドッキングした形態にあるときに、該バインディングベースをスノーボードデッキに対して垂直な軸周りに回転させることによって、該バインディングベース及び該ボードベースを機械的に係合させる、請求項１０に記載のスノーボードバインディング装置。
【請求項１２】
該バインディングベースを該軸周りにさらに回転させることによって、該回転の反転を防止するロック機構を係合させ、それによって該バインディングベース及び該ボードベースを使用のための係合及び整合位置に固定する、請求項１１に記載のスノーボードバインディング装置。
【請求項１３】
該ボードベースは１つ又は複数の棚部を備え、
該バインディングベースは１つ又は複数のリップを備え、
該棚部及び該リップは、該バインディングベースと該ボードベースとのドッキングを妨げないように互いに対して位置付けられ、該バインディングベースを該スノーボードデッキに対して垂直な軸周りに回転させることによって、該棚部を該リップに重ねて該ボードベースから該バインディングベースが分離することを防止する形態にするように位置付けられる、請求項１２に記載のスノーボードバインディング装置。
【請求項１４】
該バインディングベースは２つの別個の要素を備え、該要素の第１の要素は従来のバインディングベースボードからなり、第２の要素は１つ又は複数の磁石を備えていると共に該第１の要素にしっかり取り付けられている、請求項４に記載のスノーボードバインディング装置。
【請求項１５】
該ボードベースは１つ又は複数の棚部を備え、
該第２の要素は１つ又は複数のリップを備え、
該棚部及び該リップは、該バインディングベースと該ボードベースとのドッキングを妨げないように互いに対して位置付けられ、該バインディングベースを該スノーボードデッキに対して垂直な軸周りに回転させることによって、該棚部を該リップに重ねて該ボードベースから該バインディングベースが分離することを防止する形態になるように位置付けられる、請求項１４に記載のスノーボードバインディング装置。
【請求項１６】
足をブーツに挿入するボードスポーツ用のバインディングであって、ユーザーが履いているブーツを受容するように構成されるバインディングベースを備え、該ブーツは該バインディングベースに固定され、ボードベースがボードデッキに恒久的に固着され、かつ該バインディングベースに係止されることができると共に該バインディングベースから解放されることができる、バインディング。
【請求項１７】
該バインディングベースと該ボードベースとが互いに係止される前に互いにドッキングされるように構成される、請求項１６に記載のバインディング装置。
【請求項１８】
該バインディングベースは１つ又は複数の磁石を備え、
該ボードベースは１つ又は複数の磁石を備え、
該バインディングベースの該磁石及び該ボードベースの該磁石は、該バインディングベース及び該ボードベースを互いに対して引き付けてドッキングした形態にするように構成される、請求項１７に記載のバインディング装置。
【請求項１９】
該ボードベース及び該バインディングベースがドッキングした形態にあるときに、該バインディングベースをスノーボードデッキに対して垂直な軸周りに回転させることによって、該バインディングベース及び該ボードベースを機械的に係合させる、請求項１８に記載のバインディング装置。
【請求項２０】
該バインディングベースを該軸周りにさらに回転させることによって、該回転の反転を防止するロック機構を係合させ、それによって該バインディングベース及び該ボードベースを使用のための係合及び整合位置に固定する、請求項１９に記載のバインディング装置。
【発明の詳細な説明】
【技術分野】
【０００１】
スノーボードに乗る場合、ユーザーのブーツはそれぞれ、例えば「バインディング(binding：ビンディング)」と呼ばれる装置を用いてスノーボードに固定される。
【０００２】
このバインディングは、斜面を下る際にユーザーとボードとが離れないようにする。また、バインディングは通常、ユーザーからスノーボードへ力を伝えるように構成され、ユーザーがスノーボードに乗っている間にこれをコントロールすることを可能にする。
【０００３】
バインディングは、ウェイクボード及びカイトボード等の他のボードスポーツにも使用され、本発明はそのような他のボードスポーツにも関する。
【０００４】
本発明は、主にスノーボードに関連して説明されるが、他のボードスポーツへのその適用も提示される。
【背景技術】
【０００５】
「ストラップイン」バインディングと称され得る、スノーボードと共に使用される１つの一般的な種類のバインディングは、ブーツ、例えば当該技術分野において「ソフトブーツ」と称され得る種類のブーツを受け入れるように設計される。
【０００６】
ストラップインバインディングは一般的に、１つ又は複数の調整可能なストラップを組み込んでおり、該ストラップを締め付けると、ユーザーのブーツがバインディングの比較的剛性の内面に対して押し付けられる。ストラップ及び内面の圧力によって、スノーボードの使用時にブーツがバインディング内に保持され、ユーザーがスノーボードをコントロールすることを助ける。
【０００７】
別の一般的なタイプのスノーボードバインディングは、当該技術分野において「ステップイン」バインディングと称され得る。ステップインバインディングは、ユーザーのブーツの底面にあるヒンジ、固定具、及び／又は他の機構へ接続する機構を含む比較的平坦なベースを組み込むことができる。ステップインバインディングと共に使用するブーツは通常、ストラップインバインディングと共に通常使用されるブーツよりも剛性かつ頑丈であり、ブーツのこの剛性構造によって、ユーザーが加える力をボードへ伝達することができ、ユーザーがボードをコントロールすることを助ける。しかし、ブーツをステップインバインディングとの使用に好適にする構成はまた、ブーツをスノーボードへ固定するために必要な金具がブーツに取り入れられる可能性があるため、ブーツをソフトブーツよりも重くする可能性がある。
【発明の概要】
【発明が解決しようとする課題】
【０００８】
ストラップインバインディングの使用にしてもステップインバインディングの使用にしても不都合点が伴う。例えば、ブーツをストラップインバインディングの内部に固定するには、一般的に、ストラップを締め付けるためにユーザーの手が必要である。一般的な結果として、スノーボードのユーザーは通常、先にスキーリフトから降りてから少なくとも一方のブーツを適切なバインディングに固定しなければならないため、このユーザーは、スキーヤー達がするようにスキーリフトから降りてすぐ斜面を直接滑り降りることができない。
【０００９】
上述したステップインバインディングは一般的に、ストラップインバインディングと共に通常使用され得るソフトブーツよりも重くて硬いブーツの使用を伴う。この重量及び剛性によって、そのようなブーツがソフトブーツよりも履き心地が悪いものになり、経験を積んだスノーボードユーザーは、この重量及び剛性によってスノーボードに乗っている間のユーザーによるスノーボードのコントロールが損なわれると感じる場合がある。
【００１０】
バインディングは、他のボードスポーツ、例えばウェイクボード及びカイトボードにも使用される。バインディング又は足をボードへ接続する機構は、本発明の利点を有益に用いることができる。
【課題を解決するための手段】
【００１１】
本発明の実施の形態は、２つの主要な協働する部品又はアセンブリを備えるスノーボードバインディングである。「ボードベース」と称され得る一方の部品は、スノーボードに恒久的に固定することができる。「バインディングベース」と称され得る他方の部品は、例えばストラップインバインディングと同様のやり方でユーザーのソフトブーツに固定することができる。本発明の一実施の形態では、ボードベース及びバインディングベースは、互いから取り外すことができ、ユーザーがスノーボードに乗ることができるように再び互いに確実に取り付けることもできる。
【００１２】
バインディングベース及びボードベースは、ユーザーが手を用いることなくこれらのベース同士を連結することを助けるように構成することができる。例えば、本発明の一実施の形態では、ユーザーは、バインディングベースに固定されているソフトブーツを履いて、脚及び／又は足を動かすことによってバインディングベースとボードベースとを位置合わせすることができ、これらのベース同士を共にドッキングさせることができる。本発明の一実施の形態では、ユーザーは次いで、足を回転することによってベース同士を互いに係合させ、これらのベースが分離してしまうことを防止することができる。本発明の一実施の形態では、足を回転し続けることによって、ロック機構を係合させ、これらのベースを使用に好適な形態で連結したままにすることができる。本発明の一実施の形態では、ロック機構は、これらのベースを、手動で係脱させるまでこの形態に保つことができる。
【００１３】
したがって、本発明の一実施の形態によると、バインディングベースを備えるスノーボードバインディングであって、該スノーボードバインディングは、ユーザーが履いているブーツを受け入れるように構成され、該ブーツを該バインディングベースに固定するように位置付けられる１つ又は複数の調整可能なストラップを備える、スノーボードバインディングが提供される。この実施の形態では、該バインディングベースは、ユーザーが履いている該ブーツを該バインディングベースに固定する一方でスノーボードに固定されることができ、該バインディングベースは、ユーザーが履いている該ブーツを該バインディングベースに固定する一方で該スノーボードから分離することができる。
【００１４】
本発明の一実施の形態によると、スノーボードバインディング装置がバインディングベースを備え、該バインディングベースは、ユーザーが履いているブーツを受け入れるように構成され、該ブーツを該バインディングベースに固定するように位置付けられる１つ又は複数の調整可能なストラップを備える。スノーボードバインディング装置は、スノーボードデッキに恒久的に固着され、該バインディングベースに係止されると共に該バインディングベースから解放されることができるボードベースも備える。
【００１５】
本発明の一実施の形態では、該バインディングベースと該ボードベースとが、共に係止される前に互いにドッキングされるように構成される。本発明のそのような一実施の形態では、該バインディングベースは１つ又は複数の磁石を備え、該ボードベースは１つ又は複数の磁石を備え、該バインディングベースの該磁石及び該ボードベースの該磁石は、該バインディングベース及び該ボードベースを互いに対して引き付けてドッキングした形態にするように構成される。さらに、本発明の一実施の形態では、該ボードベース及び該バインディングベースがドッキングした形態にあるときに、該バインディングベースを該スノーボードデッキに対して垂直な軸周りに回転させることによって、該バインディングベース及び該ボードベースを機械的に係合させる。本発明の一実施の形態では、該バインディングベースを該軸周りにさらに回転させることによって、該回転の反転を防止するロック機構を係合させ、それによって該バインディングベース及び該ボードベースを使用のための係合及び整合位置に固定する。
【００１６】
本発明の一実施の形態では、該ボードベースは１つ又は複数の棚部を備え、該バインディングベースは１つ又は複数のリップを備え、該棚部及び該リップは、該バインディングベースと該ボードベースとのドッキングを妨げないように互いに対して位置付けられるが、該バインディングベースを該スノーボードデッキに対して垂直な軸周りに回転させることよって、該棚部を該リップに重ねて該ボードベースから該バインディングベースが分離することを防止する形態になるように位置付けられる。本発明のそのような一実施の形態において、該バインディングベースを該軸周りにさらに回転させることによって、該回転の反転を防止するロック機構を係合させ、それによって該バインディングベース及び該ボードベースを使用のための係合及び整合位置に固定する。
【００１７】
本発明の別の実施の形態では、バインディングベースの特徴を組み込んでいるが標準的なバインディングベースから分離可能な要素である第３の中間要素が提供される。これによって、スノーボーダーが自身の現在のバインディング及びボードを保有したまま単に本発明の要素を加えるだけでその利点を達成することができるため、本発明のより安価なバージョンが可能となる。
【００１８】
本発明の原理を利用する本発明の他の実施の形態も、例えばカイトボード又はウェイクボードのような、ボードに足を保持する他のボードスポーツに適用されるものとして含まれる。
【図面の簡単な説明】
【００１９】
【図１】本発明の一実施形態による、スノーボードデッキに固着されているバインディングを示す図である。
【図２】本発明の一実施形態による、踵側から見た、スノーボードに固着されているボードベースを示す図である。
【図３】本発明の一実施形態による、つま先側から見たボードベース及びスノーボードデッキの分解図である。
【図４】本発明の一実施形態による調整ディスクの下面を示す図である。
【図５】本発明の一実施形態によるバインディングベースを示す図である。
【図６】本発明の一実施形態によるバインディングベースの下面の部分分解図である。
【図７】本発明の一実施形態による、ドッキングのためにボードベースと位置合わせされるバインディングベースの上から見た図である。
【図８】本発明の一実施形態による、ボードベースとドッキングしたバインディングベースのつま先端に面する図である。
【図９】本発明の一実施形態による、ボードベースとドッキングしたバインディングベースの踵端に面する図である。
【図１０】本発明の一実施形態による、ボードベースとドッキングしたバインディングベースのつま先端に面する図である。
【図１１】本発明の一実施形態による、係止形態にあるバインディングベース及びボードベースの踵端を示す図である。
【図１２】本発明の一実施形態による、係止形態にあるバインディングベース及びボードベースのつま先端を示す図である。
【図１３】本発明の一実施形態による、係止形態にあるバインディングベース及びボードベースのつま先端を示す図である。
【図１４】本発明の一実施形態による、係止形態にあるバインディングベース及びボードベースの踵端を示す図である。
【図１５】本発明の一実施形態によるラッチを示す図である。
【図１６】本発明の一実施形態による、ラッチに組み込むことができるリップ構成部からの突起を示す図である。
【図１７】本発明の一実施形態による、バインディングベースに組み付けられるラッチを示す図である。
【図１８】本発明の一実施形態による、ばね付勢式ラッチ(spring-loaded latch）を含むバインディングベースの切り欠き図である。
【図１９】本発明の一実施形態による、バインディングベースと係合するボードベースの相対回転中のラッチを示す図である。
【図２０】本発明の一実施形態による、バインディングベースと係合するボードベースの相対回転中のラッチを示す図である。
【図２１】本発明の一実施形態による、バインディングベースと係合するボードベースの相対回転中のラッチを示す図である。
【図２２】本発明の一実施形態による、バインディングベースと係合するボードベースの相対回転中のラッチを示す図である。
【図２３】本発明の一実施形態による、バインディングベースの基部（base）を示す図である。
【図２４】２つのみのセクションではなく３つのセクションが存在する、本発明の別の実施形態を示す分解斜視図である。
【図２５】前方バインディングが、ボードから解放された後方の足と平行であるようにボードに対して回転することができる、本発明の別の実施形態の斜視図である。
【図２６】ロックシステムの別の実施形態を示す図である。
【発明を実施するための形態】
【００２０】
図１は、本発明の一実施形態による、スノーボードデッキ１１５に固着されているスノーボードバインディング１１０を備えるアセンブリ１００を示す。図示のように、２つの主要な互いに協働する構成要素が、スノーボードデッキ１１５の上に取り付けられるボードベース１２０と、バインディングベース１２５とからなる。ボードベース１２０及びバインディングベース１２５は、例えば、本発明の一実施形態に従って、使用のために係止されているロック形態で示されている。
【００２１】
本明細書において、スノーボードの「使用」とは、この言葉の通常の意味を意図する。この言葉の通常の使用のように、その文脈に応じて、スノーボードは、ユーザーがそれに乗って斜面を下る際に、また、ユーザーが例えば本発明の一実施形態による１つ又は複数のバインディングによって該スノーボードに固定されている際に、また、１つ又は複数の斜面を１回又は複数乗り越えるスノーボード競技の際に、使用されると考えられる。本明細書中において用語の任意の特定の例が意図するところの意味は、文脈から判断することができる。
【００２２】
図２は、本発明の一実施形態による、スノーボードデッキ１１５の頂部に恒久的に保持されることができるボードベース１２０を示す。（「恒久的」とは本明細書において、広範な文脈に応じた意味で、特徴部又は構成を指すのに使用され、本発明の一実施形態の通常の使用時において通常は変わらない。本発明の実施形態に応じて、本明細書において恒久的であると称される特徴又は構成は、アセンブリ１００又はそのいずれか１つ又は複数の部品に損傷を与えることなく変更可能であっても又は変更可能でなくてもよく、変更可能である場合、そのような変更を行うことは適切な工具を伴う場合と伴わない場合がある。）
【００２３】
ボードベース１２０をスノーボードデッキ１１５に固定する方法は、当該技術分野において既知である方法を含む。例えば、スノーボードデッキ１１５は、ねじ山付きの金属インサート（図示せず）を組み込むように製造することができる。本発明の一実施形態では、ボードベース１２０を、例えばボードベース１２０にある１つ又は複数の穴を通ってベースのねじ山付きインサートに入る、例えばねじ山付きボルト、スクリュー又はスタッド等の１つ又は複数の締結具１３０によって、例えばスノーボードデッキ１１５に直接締結することができる。
【００２４】
図２及び図３に示されるような本発明の一実施形態では、ボードベース１２０は、スノーボードデッキ１１５に直接固着されるのではなく、デッキ１１５に対してしっかりと保持され、例えば当該技術分野において既知であるような調整ディスク１４０によって回転が防止される。さらに調整ディスク１４０が、調整ディスク１４０にある穴１４５のそれぞれを通るねじ山付き締結具１３０によってデッキ１１５に取り外し可能に固着される。
【００２５】
図３は、図２に示される構成要素の分解図を提供する。本発明の一実施形態では、ボードベース１２０は丸穴又は切り欠き部１４８を含む。図２及び図３に示されるような本発明の一実施形態では、調整ディスク１４０の下面のリム及び穴１４８のリムは、均一に離間した対応するリッジ又は他の形状を有する。図４は、本発明の一実施形態による調整ディスク１４０の下面を示し、スノーボードベース１２０にある対応するリッジと噛み合うことができるリッジを示す。
【００２６】
図２及び図３に戻ると、本発明の一実施形態では、締結具１３０の締め付けによって、調整ディスク１４０がボードベース１２０をスノーボードデッキ１１５に押し付ける。本発明の一実施形態では、スノーボードデッキ１１５に対するボードベース１２０の位置合わせは、例えば、ボードベース１２０をスノーボードデッキ１１５に固定するときに行うことができる。調整ディスクによって作用される圧力により、ボードベース１２０をスノーボードデッキ１１５に対してしっかりと確実に保持することができ、調整ディスク１４０及びボードベース１２０にある噛み合いリッジにより、ボードベース１２０がスノーボードデッキ１１５に対して回転することを阻止することができる。所望であれば、本発明の一実施形態では、スノーボードデッキ１１５に対するボードベース１２０の位置合わせは、締結具１３０を緩め、ボードベース１２０を回転させて所望の位置合わせを行い、次いで締結具１３０を締め付けることによって、調整することができる。
【００２７】
本発明の一実施形態では、ボードベース１２０及び調整ディスク１４０の寸法は、例えば締結具１３０を完全に締め付けたときに、調整ディスク１４０の底面がボードベース１２０の底面と面一になるようにすることができる。同様に、調整ディスク１４０とボードベース１２０の頂部同士を面一としてもよい。さらに、本発明の一実施形態では、調整ディスク１４０にある穴１４５のいくつか又は全ての上部に例えば皿穴を開けるか又は座ぐりを設けることができ、これにより、締結具１３０が完全に締め付けられたときにこれらの締結具のいくつか又は全ての頂部を調整ディスク１４０の頂部と面一にさせるか又はそれよりも低くするようにしてもよい。
【００２８】
本発明の一実施形態では、ボードベース１２０は、１つ又は複数の永久磁石１５０を備えることができる。例えば、図２及び図３に示される本発明の実施形態では、ボードベースは２つの切り欠き部１５５を有することができ、各切り欠き部１５５は、磁石と外部物体との引き付けにもかかわらず、それぞれの切り欠き部１５５に磁石１５０のうちの１つを保持するのに十分な程度及び強度であるフランジ付きのリムを有する。本発明の一実施形態では、磁石１５０の１つ又は複数は、磁石１５０を保護し、かつ／又は磁石１５０の耐久性を高めるために、例えばニッケル又はプラスチック等の材料によって部分的に覆うか又は完全被覆することができる。
【００２９】
上述の代わりに又は上述に加えて、本発明の一実施形態では、磁石１５０の１つ又は複数を、ボードベース１２０の本体に接着するか又は別様に固定することができる。本発明の一実施形態では、永久磁石１５０の１つ又は複数（図示せず）を、ボードベース１２０の材料中に埋め込むことができる。本発明の一実施形態では、磁石１５０の１つ又は複数をボードベース１２０に固定する代わりに又はこれに加えて、磁石１５０の１つ又は複数を、ボードベース１２０よりも上で、ただしボードベース１２０に比較的近い物体に好適な誘引力及び／又は反発力を作用させるような態様でスノーボードデッキ１１５に固定してもよい。
【００３０】
また、当業者には、本発明の実施形態において上述の１つ又は複数に加えて又はこれらの代わりに、１つ又は複数の磁石をボードベース１２０に組み込む他の好適な方法が存在することが理解されるであろう。図２及び図３に示されるような本発明の一実施形態では、磁石１５０のいずれの部分もボードベース１２０の上面からは突出していない。
【００３１】
本発明の一実施形態では、ボードベース１２０は、スノーボードデッキ１１５から離れていく方向でスノーボードデッキ１１５に垂直に突出する２つの別個のセットの棚部１６０を備えることができる。本発明の一実施形態では、各棚部１６０は、例えば、全ての棚部１６０が同じ仮想の円の部分のそれぞれを描くように仮想の円の一部を描くことができる。
【００３２】
１セットの棚部１６０（「つま先側棚部」１６５）は、例えば、ボードベース１２０のうち、ユーザーのつま先に最も近い縁にあることができる。本発明の一実施形態では、つま先側の棚部１６５は例えば２つの棚部を含み得る。そのような一実施形態では、つま先側の棚部の一方の棚部１７０は、例えばボードベース１２０の表面から１／１６インチであることができ、他方の棚部１７５は、例えばボードベース１２０の表面から３／１６インチであることができる。例えば２つの図示される踵側の棚部１８０にこれと同様の又はこれに類する寸法を用いることができる。
【００３３】
棚部１６０の幅は、例えば使用される材料（単数又は複数）の強度及び可撓性並びに構成方法に応じて様々であってもよく、例えば本発明の図示の実施形態では棚部１６０の幅は１／４インチである。本発明の図示の実施形態では、全ての棚部１６０は同じ厚さ及び幅であるが、本発明の一実施形態では、棚部１６０の１つ又は複数は、１つ又は複数の他の棚部１６０とは厚さ、幅、又はその両方が異なり得る。
【００３４】
図２及び図３に示されるような本発明の一実施形態では、棚部１６０のいくつか又は全ては、例えばボードベース１２０の一体部品として、又は例えば製造中にボードベース１２０に直接的に又は間接的に固着することができる別の部品として作製することができる。
【００３５】
図１に戻ると、本発明の一実施形態によるスノーボードバインディング１１０は、バインディングベース１２５を備えることができる。本発明の一実施形態では、バインディングベース１２５は、スノーボードを使用する際にユーザーが履くことができるブーツ（図示せず）を受け入れて保持するように構成される。例えば、本発明の一実施形態では、バインディングベース１２５は、例えば、ソフトブーツ（図示せず）を受け入れて、バインディングベース１２５の基部２０５及びハイバック２１０に対してブーツを保持することが可能である１つ又は複数の調整可能なストラップによって定位置に固定するために、上述したようなストラップインバインディングと同様の方法で構成することができる。
【００３６】
以下でより詳細に説明するように、バインディングベース１２５は、本発明の図示の実施形態では、例えば磁力によって案内及び／又は別途に補助されるボードベース１２０とドッキング(係合)するように構成される。図示の実施形態では、ドッキングすると、バインディングベース１２５の構造が、ボードベース１２０の構造と係合して、これらのベースを共に保持することができ、また係合している間に、これらのベースを使用に好適な形態で互いに固定することができる。ロック機構が、これらのベースを、手動で解放されるまで係合及び固定された形態に保持することができる。
【００３７】
図５及び図６に示されるように、本発明の一実施形態では、バインディングベース１２５の基部２０５は１つ又は複数の永久磁石２２０を含むことができる。磁石２２０の１つ又は複数は、例えば前述した磁石１５０の１つ又は複数をボードベース１２０に固着及び／又はボードベース１２０内に埋め込むことができるように、基部２０５に固着及び／又は基部２０５内に埋め込むことができる。本発明の一実施形態では、磁石２２０の１つ又は複数は、磁石２２０を保護し、かつ／又は磁石２２０の耐久性を高めるために、例えばニッケル又はプラスチック等の材料によって部分的に覆うか又は完全被覆することができる。さらに、図５及び図６に示されるような本発明の一実施形態では、磁石２２０のいずれの部分もバインディングベース１２５の基部２０５の下側表面からは突出していない。
【００３８】
図５及び図６に示されるような本発明の一実施形態では、据え付け時の、バインディングベース１２５のつま先端に最も近い磁石２２０とボードベース１２０のつま先端に最も近い磁石１５０との相対極性は、例えば直立のバインディングベース１２５が、例えば図７に示されるように、位置合わせされるボードベース１２０の上側の上方に垂直に配置されるときに磁石１５０、２２０が互いに引き付け合うようなものとすることができる。同様に、本発明の図示の実施形態では、それぞれのベースの踵端に最も近い磁石１５０、２２０は、例えばベース同士が図７に示されるように位置合わせされるとこれらの磁石が同様に互いに引き付け合うように据え付けることができる。それぞれの極性は、例えばバインディングベース１２５が図７に示される整合位置からボードベース１２０に対して１８０度回転してしまうと、磁石１５０、２２０のそれぞれの対が互いに反発し合うように選択してもよい。
【００３９】
本発明の一実施形態では、ボードベース１２０及びバインディングベース１２５にある対応する磁石１５０及び磁石２２０は実質的に同じサイズとすることができる。本発明の一実施形態では、それぞれのベース１２０、１２５の各端の対応する磁石１５０、２２０は、バインディングベース１２５及びボードベース１２０が例えば図７に示されるような角度で互いに対して配置されるときに、互いに対して垂直に整合するようにしてもよい。
【００４０】
例えば上述したような磁石の構成を有する、図１〜図７に示されるような本発明の一実施形態では、磁石の引き付けによって例えば図７に示されるようにボードベース１２０をバインディングベース１２５に対して位置合わせした状態で保持することができることが理解されるであろう。本発明の一実施形態では、磁石１５０、２２０は、図示の位置合わせを、例えば、その位置合わせを妨げるのに十分な力を加えることをユーザーが選択するまで、重力及び／又は偶発的な力に抗して維持することができるように十分に強力であるように選択することができる。本発明の一実施形態では、好適な磁石は当該技術分野において既知であり、例えばネオジム及び／又は他の希土類磁石を含み得るが、十分に強力かつコンパクトな何れの磁石も使用してもよい。
【００４１】
本発明の一実施形態では、１つ又は複数の磁石の代わりに、例えば強磁性材料の片（図示せず）を用いてもよい。そのような一実施形態では、一方のベースにある強磁性材料の各片は、例えば磁石の引き付けによってベース同士を共に引き合わせてドッキングした形態となるように、例えば他方のベースにある磁石に対応させることができる。
【００４２】
本発明の一実施形態では、バインディングベース１２５は、例えばボードベース１２０の棚構成部１６０に対応するリップ構成部２５０を備えることができる。本発明の一実施形態では、リップ構成部２５０は例えば、ボードベース１２０の棚部１６０が仮想の円の部分を描くのと同様に仮想の円の部分を描く。リップ特徴部２５０が描く仮想の円は、本発明の一実施形態では、棚部１６０が描く直径よりもわずかに小さい直径を有することができ、これは、例えば後述するリップ構成部及び棚構成部の機能と一致し得る。
【００４３】
本発明の一実施形態では、リップ構成部２５０の配置及び寸法は、ボードベース１２０及びバインディングベース１２５のいくつかの相対的な配置に関して、リップ構成部２５０及び棚部１６０が例えば図８〜図１４に示されるように上下に重なる構成になるようなものとすることができる。例えば、ボードベース１２０に対するバインディングベース１２５の回転の結果として、リップ構成部２５０の１つ又は複数が全体的に又は部分的に棚部１６０の１つ又は複数の下に位置する構成及び／又は位置合わせでは、棚部は、例えばバインディングベース１２５がボードベースから簡単に引き抜かれてしまうことを防止することができる。本発明の一実施形態では、ボードベース１２０に対するバインディングベース１２５の向きは、ベース同士が分離され得る前に、例えばバインディングベース１２５を反対方向に回転させることによって変更しなければならない。
【００４４】
例えば、ボードベース１２０にある棚部１６０が上述したような寸法を有するような本発明の一実施形態では、バインディングベースのリップ構成部は、厚さがおよそ１／１６インチであり、高さが１／１６インチだけオフセットされ得る。本発明のそのような一実施形態では、下側リップ２５５、２６０は、例えばバインディングベースの底面と面一であり得る。そのような一実施形態では、上側リップ２６５、２７０は、例えばボードベースから１／８インチのところに位置し得る。棚部１６０及びリップ構成部２５０の相対的なサイズ及び位置合わせは、本発明の一実施形態では、例えば後述するように最大回転点が達成されるまで、例えばバインディングベース１２５がボードベース１２０に対して回転するにつれて、リップ２５０がそれぞれの対応する棚部１６０の下で比較的妨げられることなく摺動することができるようなものであり得る。
【００４５】
上述にもかかわらず、本発明の一実施形態では、例えば、バインディングベース１２５をボードベース１２０に対して、使用のためにこれらのベースが共に固定される形態にすべく回転させると、連結部のぐらつきや、その他の不安定さを防止若しくは低減するために、ベース同士の係合の相対的な締め付け度合いを高めることができる。棚部１６０及び／又はリップ２５０の１つ又は複数は、例えばその相対回転が増すにつれてこの頑丈さを高めるためにテーパ状にすることができる（不図示）。そのような一実施形態では、回転の度合いが増すにつれ、必要とされる回転力が増し得るが、この必要とされる力は、例えばユーザーが主観的に過度に加えることは必要としないであろう。
【００４６】
反対に、そのようなテーパは、本発明の一実施形態では、ベース同士の係合の相対的な締め付けは、例えばドッキングした形態からの最初の係合時点で最も小さいものあるようなものであり得る。そのような構成により、リップが棚部と適切に係合する可能性を高めることによってユーザーがベース同士を最初に係合させることを容易にすることができる。
【００４７】
図７に戻ると、図示のように、本発明の一実施形態によるボードベース１２０及びバインディングベース１２５は、ドッキングした形態と称され得る形態にある。そのような形態では、ベース同士の対応する合わされる表面が互いに対して十分に面一であることによって、これらの表面間の実質的な接触を維持しながらもベースの互いに対する回転に対しては実質的な妨げはない。図示のように、この形態では、これらベースの合わされる表面間の接触を妨げ得るようなリップ構成部２５０のいずれかと棚構成部のいずれかとの重なりは存在しない。図８〜図１０は、ベースが本発明の一実施形態によるドッキングした形態にあるときの、リップ構成部２５０及び棚部１６０の相対的な位置を示す。
【００４８】
図面に示されるような本発明の一実施形態では、磁石は、ベース同士を図７に示されるようなドッキングした整合位置に保持するようにできることが理解されるであろう。本発明の一実施形態では、一方又は両方のベースの幾何学的形状及び／又は１つ又は複数の対応する構造は、上述したような磁石に加えて又はこの代わりに、これらのベースをドッキングした形態に案内し、かつ／又はこれらのベースをそのような形態に保持する役割を果たすことができる。回転を用いることによって、ベースを連結した形態に保持する構造同士を係合させる本発明の一実施形態では、そのようないかなる構造も、そのような回転を妨げないように設計することができ、例えば、バインディングベース１２５の下面の円形の窪み（図示せず）が、ボードベース１２０の上側にある円形の隆起した部分（図示せず）に対応することができることが理解されるであろう。
【００４９】
本発明の図示の実施形態では、バインディングベース１２５がボードベース１２０に対して反時計回りに最小限に回転した後、対応するリップ構造２５０及び棚部１６０は係合し、この締結を保持する。本発明の一実施形態では、ベースの側縁同士が互いに均一に位置合わせされると最大限の反時計回りの回転を達成することができる。例えば、本発明の図示の実施形態では、バインディングベース１２５は、ドッキングした形態から始めて、反時計回りに４５度の角度回転することができ、この地点でロック機構が係合する。本発明の一実施形態によるそのような構成にあるベースが図１１〜図１４に示されている。図示の実施形態では、リップ２５０の１つ又は複数は、例えば最大限の相対回転点を越える回転を妨げるために、対応する棚部１６０の１つ又は複数の縁部と対面するように配置され得る突起２８０を組み込むことができる。
【００５０】
図１１〜図１４に示されるものは例示であり、限定するものではないことが理解されるであろう。本発明の一実施形態では、回転方向は、反時計回りではなく時計回りであってもよい。本発明の一実施形態では、ドッキングされた形態からロックされた形態へ旋回する相対回転の角度は、４５度より大きくても又は小さくてもよい。
【００５１】
本発明の一実施形態では、この相対回転地点で、ロック機構がベースをそれらの相対的な位置に固定することができ、例えばスノーボード及びバインディングに乗る準備が整う。本発明の一実施形態では、ロック機構は摺動ばね押しラッチを備える。このラッチは、例えばバインディングベースがボードベースと係合して、ベースの縁同士が互いに面一になるまで反時計回りに回転すると係合することができ、それにより、例えばユーザーがスノーボードに乗っている間においてベース同士の相対位置を維持することができる。本発明の一実施形態では、ユーザーは、例えば１つ又は複数の構成要素を摺動させるか又は別様に移動させることによってラッチを手動で係脱させることができ、例えばボードベースに対するバインディングベースの時計回りの回転によって、これらのベースを係脱させることができるドッキングした形態にこれらのベースを戻すことを可能にする。
【００５２】
図１５〜図２２は、本発明の一実施形態による上述したラッチを含むロック機構を示す。図１５は、踵側リップ２７０を組み込む本発明の一実施形態による摺動ラッチ３００を示す。本発明の図示の実施形態では、リップ２７０は、ベース同士が係合している間にラッチ３００をバインディングベース１２５に押し込むような形状である突起３１０を組み込んでいる。図示のように、突起３１０の形状は、ボードベース１２０（図２）の棚部１８０（図２）の対応する形状と組み合わせることで、バインディングベース１２５がロック位置へ回転している場合にラッチ３００がこれらのベースから延出することも可能にする。本発明の一実施形態では、ベース同士が例えば図１４に示されるような相対的な整合位置にあるときにラッチ３００が延出していることによって、この突起がこれらのベースをこの相対位置に保持することができる。
【００５３】
図１７は、本発明の一実施形態によるバインディングベース１２５に組み付けられているラッチ３００を示す。（図１７及び図１８では、バインディングベース１２５の底部は、バインディングベース１２５の特徴部を明らかにするために切り欠かれている。）そのような一実施形態では、ラッチ３００に組み込まれている踵側リップ２７０は、バインディングベース１２５のスロット３１５を通ってバインディングベース１２５の踵側から外方へ延出し得る。本発明の一実施形態では、スロット３１５の寸法は、例えばリップ２７０の寸法よりもわずかに大きく、ラッチ３００をスロット３１５内で自由に摺動させるが使用時のスロット３１５内でのラッチ３００の垂直方向及び水平方向の遊びを最小限に抑えるように選択することができる。
【００５４】
バインディングベース１２５内のスロット３１５の位置は、例えば、ベース同士がドッキングして次いで回転するときにリップ２７０がボードベース１２０にある対応する棚部１８０（図２）と係合するように選択することができる。
【００５５】
図１７に示されるように、本発明の一実施形態では、バインディングベース１２５は、リップ２７０と反対側のラッチ３００の端部を受け入れるように構成される受け部３２０又はガイドを含む。本発明の図示の実施形態では、ラッチ３００がバインディングベース１２５に押し込まれるときにばね３２５がラッチを押し戻すような力を加えるように、ばね３２５が受け部３２０内に保持され得る。図１８は、本発明の一実施形態によるラッチ３００、ばね３２５及びバインディングベース１２５の相対的な配置を示すために受け部３２０が切り欠かれているバインディングベース１２５を示す。
【００５６】
本発明の一実施形態では、ラッチ３００、受け部３２０及びバインディングベース１２５の構成は、ラッチ３００の少なくとも一部が、ラッチ３００がバインディングベース１２５に押し込まれる程度に関係なく受け部３２０内に留まるか、又は例えばラッチ３００及びバインディングベースの相対的な位置合わせの維持を助けるために受け部３２０から外方へ延出するようなものとすることができる。
【００５７】
図１９〜図２２は、本発明の例示的な実施形態に従ってバインディングベース１２５及びボードベース１２０がドッキングし、係合し、かつロックされる場合のラッチ３００及びこれらのベースの相対位置及び相互作用を示す。図１９では、これらのベースは例えば上述したようにドッキングしているが、例えばボードベース１２０に対するバインディングベース１２５の回転による係合はしていない。
【００５８】
図２０に示されるように、ベースはドッキングした位置から回転しているため、リップ２７０は棚部１８０と係合し始めている。本発明の一実施形態によると、１つ又は複数の他のリップが、ラッチ３００に組み込まれているリップ２７０が係合し始める相対回転角度よりも大きいか又は小さい相対回転角度でそれぞれの対応する棚部に係合してもよい。図２０に示されるように、リップ２７０からの突起３１０の形状は、相対回転の程度が増すとリップ２７０に対して半径方向内方へ力を作用させ、ラッチ３００をバインディングベース１２５へ押し込むようなものである。
【００５９】
図２１は、本発明の一実施形態による、図２０に示される回転角度よりもわずかに大きい回転角度にあるバインディングベース１２５及びボードベース１２０を示す。図示されるような一実施形態では、突起３１０の形状は、ボードベース１２０に対するバインディングベース１２５のさらなる回転ではラッチ３００をバインディングベースへ実質的にそれ以上押し込まないようなものであり得る。
【００６０】
図２２は、例えば本発明の一実施形態による使用に好適な、ロック形態にある、最大の相対回転時のバインディングベース１２５及びボードベース１２０を示す。図２２に示されるような本発明の一実施形態では、棚部１８０は、バインディングベース１２５の外方側縁までは延在していない。そのように構成されているため、最大の相対回転が達成されると、突起３１０は内方への半径方向力から開放され、したがってばね３２５（図示せず）によって外方へ押され得る。本発明の図示の実施形態では、突起３１０の内縁は、例えば棚部１８０又はその垂直支持部の外縁に当接することができ、それによってボードベース１２０に対するバインディングベース１２５の時計回りの回転を妨げる。
【００６１】
図２２に示されるような本発明の一実施形態では、ラッチ３００は、例えば、ラッチ３００を押してバインディングベース１２５に戻し、ロック機構を係脱させると共にボードベース１２０に対するバインディングベース１２５の時計回りの回転を可能にするのに使用することができるスライダーを備えることができる。本発明の一実施形態では、そのような回転によってこれらのベースを例えばドッキングした位置へ戻すことができ、ユーザーがこれらのベースを離すことを可能にする。
【００６２】
本発明の一実施形態では、ラッチ３００の一部が、例えばバインディングベース１２５の外側のスロット３３５を通って延出することができ、スライダー３３０は例えば組み付け時にラッチ３００に取り付けることができる。本発明の一実施形態によるそのような構成は、例えば、バインディングベース１２５に対するラッチ３００の相対的な位置合わせをさらに安定化させることもできる。図２３は、本発明の一実施形態による、棚部のリップ２７０用のスロット３１５を組み込んでいるバインディングベース１２５の基部２０５と、ラッチ３００の一部をスライダーまで通すスロット３３５とを示す。
【００６３】
本発明の一実施形態及び／又はそれらのいずれか１つ又は複数の構成要素は、別個に又は組み合わせて、任意の１つ又は複数の好適な材料から作製することができることが理解されるであろう。例えば、本発明の一実施形態では、ボードベース１２０、バインディングベース１２５及び／又はラッチ３００に好適な材料としては、多くの他の可能性の中でも、例えばプラスチック（ポリカーボネート及び／又は他の熱可塑性樹脂が挙げられるがこれらに限定されない）、ナイロン、ガラス、射出プラスチック、炭素繊維及びアルミニウム、並びに他の軽量の耐久性金属が挙げられ得る。
【００６４】
本発明の一実施形態の構成要素の寸法には、例えば、ボードベース１２０を固定することができるスノーボードデッキ１１５、及びバインディングベース１２５内に固定することができるブーツ（及び広義に解釈すればユーザーの足）の予想されるサイズのような考慮事項を含む、実施形態の使用目的を反映させることができる。本発明の例示的な一実施形態では、ボードベース１２０は、幅（つまりユーザーの足及びブーツに関して左から右へ）が約６インチであり、長さ（つまりユーザーの足及びブーツに関してつま先から踵へ）がおよそ９インチであり、厚さがおよそ３／１６インチであり得る。本発明の一実施形態では、ボードベース１２０は、システム全体がロックされて動作可能となると面一な適合を形成するようにバインディングベース１２５の概略寸法と一致する。これらの寸法は、本発明の実施形態の動作原理に影響を与えない限り、いずれか若しくは全ての比率を維持するか又は維持することなく大幅に逸脱してもよいことが理解されるであろう。
【００６５】
本発明の実施形態と関連して本明細書において記載されるようにユーザーがベース同士をドッキング、係合及びロックすることができるように構成される本発明の一実施形態は、ユーザーが、手を用いることなく自身の足をスノーボードに容易に固定して使用することを可能にし得ることが理解されるであろう。例えば、ユーザーは、例えば従来のバインディング又は本発明の一実施形態によるバインディングによって片方の足をスノーボードに固定した状態で例えばスキーリフトに座ることができる。ユーザーの他方の足は、本発明の一実施形態によるバインディングベース１２５内に固定されるブーツを履いており、このバインディングベース１２５は、スノーボードデッキ１１５に恒久的に固定されているボードベース１２０に対応し得る。
【００６６】
そのような状況では、本発明の一実施形態に従って、ユーザーは、例えば足を動かすことによってボードベース１２０とバインディングベース１２５とをドッキングさせることができ、そのため足の底面（したがってバインディングベース１２５の底面）がボードベース１２０の頂部から数インチ以内にあり、ボードベースに対して反時計回りにおよそ４５度斜めになっている。本発明の一実施形態によると、そのように位置合わせされるため、磁石の引き付けによって例えばボードベース１２０及びバインディングベース１２５をドッキングした形態にすることができる。
【００６７】
ボードベース１２０及びバインディングベース１２５がドッキングされると、ユーザは次いで、ブーツ及び包囲しているバインディングベース１２５を、例えば上述したように最大相対回転の地点まで反時計回りに４５度回転させることができ、この地点でベースの縁同士が互いに面一になる。ラッチ３００が次いでこれらのベースと係合し、ユーザーが解放するまでこれらのベースをそのような相対的な位置合わせに保持することができる。
【００６８】
本発明の一実施形態では、リップ及び棚部の相対的な配置及びサイズによってベース同士を共にしっかりと保持することができる。本発明の一実施形態では、そのような位置にロックされている間、連結されているベースの効果は、７／１６インチの中実であるベースの形成と同等であると考えられ得る。
【００６９】
図２４は、２つのみではなく３つの要素がある、本発明の別の実施形態を示す。ボードベース１２０は図１〜図２３に示される実施形態に関して上述した通りである。バインディング２４０は、バインディング２４０の底部プレート２４４に固定される中間アダプタープレート２４２を受け入れていること以外は、スノーボード業界において従来から見られるような標準的なバインディングである。中間プレート２４２は、例えば図５において示されるような下面にある磁石（不図示）と、図８に例示として示されている前方リップ２５０及び２６５とを含む。中間プレート２４２はバインディング２４０の底部プレート２４４にしっかりと取り付けられ、あらゆる点において、図２４に示される３部品アセンブリは、図１〜図２３に示される２部品アセンブリと実質的に同一に動作するが、プレート２４２がバインディング２４０のプレート２４４に連結又は接続される場合は、再び２部品アセンブリとなる。
【００７０】
適当なボルト、スクリュー等が提供され、プレート２４２をバインディング２４０のプレート２４４にしっかりと接続している。
【００７１】
上記説明は概してスノーボードアクティビティに適用されるが、本発明のバインディング構成は、バインディングを使用するあらゆるボードスポーツ、例えばウェイクボード及びカイトボード／カイトサーフィンにおいて用いることができる。
【００７２】
図２５は、本発明の別の実施形態の斜視図であり、前方バインディングがボードから解放されている後方の足に平行であるように前方バインディングがボードに対して回転することができるため、前方の足及び後方の足が前を向くことで、後方の足がボードから分離しているときにスノーボーダーの動きを容易にする。バインディングは、ボードに取り付けられている下側プレート４５０を備え、回転可能なバインディング４５２が、プレート４５０とバインディング４５２との間の中心に位置するタレット４５４を中心に回転可能である。スノーボードを行うときに前方バインディングを定位置にロックした状態を維持するために図８に示されるような２５０及び１６０と同様のリップ及びフランジを使用するという概念は、図２５から容易に分かり得る。
【００７３】
図２６は、本発明のロックシステムの後方又は前方の係止（ロック）部分の別の実施形態の上方斜視図である。ボードベース１２０のつま先付近の、前方側の対向する側に位置するカム５００及び５０２の対が回転可能であり、これらのカムそれぞれのかみ合い歯５０４及び５０６を通じて相互接続されている。先の実施形態と同様に、バインディングをボードベースに固定するために、互いに重なり合うオーバーラップ構成が用いられる。この実施形態では、リップ６００がバインディングのベースから突出し、先の実施形態の棚部１８０の代わりとして機能するカム５００及び５０２と重なっている。これらのカムは、部材５００及び５０２が下方に押されることによって回転してロック位置から外れ、結果としてカム５００が反時計回りに回転し、相互接続されている歯５０４及び５０６を介して隣接するカム５０２を時計回りに回転させる。この作用はロックシステムを完全に開放し、ユーザーがバインディングを回転させてリップ６００をカム５００及び５０２の下から取り外すことを可能にする。この相互接続されているシンプルなカム機構は、ロック機構の解放をより容易に促進する。
【００７４】
本発明の別の実施形態は、一方のボードから他方のボードへのバインディングの係止及び解放の両方を行う回転要素という概念を、ウェイクボード及びカイトボードの両方に拡大して適用することである。これらの状況において、ユーザーは、風によって引っ張られるか又はボートによって引っ張られる。従来のサンダル型のバインディングに関しては、ユーザーが空中にジャンプしてターン及び操縦を行うことを望む場合、ボードがユーザーの足から容易に落ちる可能性があるため、そのようなことは制限されてしまう。そのため、ユーザーの足が、アキレス腱及び足の上部に沿い、次いでボードと連結されるより大きな支持体を組み込んでいる、より支持性のあるバインディングを介してボードにしっかりと取り付けられれば、ボードを見失うことなくより難しい操縦を行うことができる。
【００７５】
現在、これを行う従来からの方法は、バインディングをボード自身に固着し、ユーザーが自身の足をバインディングに入れてから、足をバインディング内にロックするためにストラップ又は何らかの他の機構を用いて固着することである。これに関連する問題は、カイトボードを行っている間にカイトを操縦しながら又はウェイクボードを行うときに浮き身で、ユーザーが、ボードに取り付けられているバインディングに自身の足を配置してロックするよう試みることは非常に難しいことである。
【００７６】
同様に、ウェイクボードを行う場合、ユーザーは、使用前に足をバインディングにしっかりと取り付ける必要がある。ウェイクボーダーにとっては、引っ張られる前に水に浮かびながら、かつ船に取り付けられているロープを操作しながら自身の足をバインディングに取り付けなければならないため、これは困難である。
【００７７】
上述のさらなる実施形態は、上記のスノーボードに関して説明したボードとバインディングとの間のクイック解放・クイックロック機構を用いる。ボードには、図８の要素１６０、１６５と同様の係止可能フランジを有するプレートが取り付けられており、バインディングは、ブーツとボードとの間での回転を可能にするために図８の２５０、２６５と同様の挿入可能なリップを有する。ブーツ又はバインディングは、これらのパーツを回転してロックする前に位置合わせするようにボードの磁石と整合及び位置合わせする磁石を含む。したがって、ボード及びバインディングは、ウェイクボード又はカイトボードによる複雑でかつ力がかかる操縦中に係脱することがない。
【００７８】
ウォータースポーツに関連する実施形態では、バインディングをボードに水中で取り付けるのと地上で取り付けるのとには違いがあるため、リップとフランジとの間にほんの少し多くの隙間が必要とされる。
【００７９】
好ましい実施形態は、本発明の原理及びその実際の適用を最も良く示すように説明され、それによって、当業者が、意図される特定の用途に適するように、種々の実施形態において、また種々の変更形態により、本発明を利用することができることが理解されるべきである。このような全ての変更形態及び変形形態は、添付の特許請求の範囲を公正に、法的にかつ衡平的に認められる範囲に従って解釈したときに定められる本発明の範囲内にある。
【図１】
2013503699.tif 000003
【図２】
2013503699.tif 000004
【図３】
2013503699.tif 000005
【図４】
2013503699.tif 000006
【図５】
2013503699.tif 000007
【図６】
2013503699.tif 000008
【図７】
2013503699.tif 000009
【図８】
2013503699.tif 000010
【図９】
2013503699.tif 000011
【図１０】
2013503699.tif 000012
【図１１】
2013503699.tif 000013
【図１２】
2013503699.tif 000014
【図１３】
2013503699.tif 000015
【図１４】
2013503699.tif 000016
【図１５】
2013503699.tif 000017
【図１６】
2013503699.tif 000018
【図１７】
2013503699.tif 000019
【図１８】
2013503699.tif 000020
【図１９】
2013503699.tif 000021
【図２０】
2013503699.tif 000022
【図２１】
2013503699.tif 000023
【図２２】
2013503699.tif 000024
【図２３】
2013503699.tif 000025
【図２４】
2013503699.tif 000026
【図２５】
2013503699.tif 000027
【図２６】
2013503699.tif 000028
【国際調査報告】
2013503699.tif 000029